(57)【要約】【課題】可撓性表示装置において画面の中央部と周辺部での観察角度特性による見え方の違いを軽減する。【解決手段】入力される画像信号に基づく画像を表示する変形可能な表示手段と、前記表示手段に対する観察角度と観察される表示特性との関係である観察角度特性の情報を記憶する記憶手段と、ユーザの観察位置を検出する位置検出手段と、ユーザの観察位置と、前記観察角度特性とに基づき、ユーザの観察位置から観察される表示特性が目標範囲に入らない表示位置が前記表示手段にある場合、ユーザに通知する通知手段と、を備える可撓性表示装置。【選択図】図１
2014191182.tif 000002
【特許請求の範囲】
【請求項１】
入力される画像信号に基づく画像を表示する変形可能な表示手段と、
前記表示手段に対する観察角度と観察される表示特性との関係である観察角度特性の情報を記憶する記憶手段と、
ユーザの観察位置を検出する位置検出手段と、
ユーザの観察位置と、前記観察角度特性とに基づき、ユーザの観察位置から観察される表示特性が目標範囲に入らない表示位置が前記表示手段にある場合、ユーザに通知する通知手段と、
を備える可撓性表示装置。
【請求項２】
前記表示手段の表示位置毎の変形量を検出する変形量検出手段を更に備え、
前記通知手段は、ユーザの観察位置と、前記観察角度特性とに基づき、前記表示手段の表示位置毎に、ユーザの観察位置から観察される表示特性が目標範囲に入るような変形量の許容範囲の情報を取得し、前記変形量検出手段により検出される変形量が前記許容範囲に入らない表示位置が前記表示手段にある場合に、ユーザに通知する請求項１に記載の可撓性表示装置。
【請求項３】
前記通知手段は、前記変形量検出手段により検出された変形量が前記許容範囲に入らない表示位置を示す画像を前記表示手段に表示させる請求項２に記載の可撓性表示装置。
【請求項４】
前記通知手段は、前記変形量検出手段により検出された変形量が前記許容範囲に入らない表示位置において、入力される画像信号に基づく画像に所定の画像を重畳させて前記表示手段に表示させる請求項２に記載の可撓性表示装置。
【請求項５】
前記通知手段は、前記変形量検出手段により検出された変形量が前記許容範囲に入らない表示位置についての情報を表示する画像を前記表示手段に表示させる請求項２に記載の可撓性表示装置。
【請求項６】
前記表示手段は、ユーザが直接変形させることができる請求項１〜５のいずれか１項に記載の可撓性表示装置。
【請求項７】
前記表示手段を変形させる変形手段と、
前記変形手段に対する動作の指示をユーザから受け付ける入力手段と、
を備える請求項１〜５のいずれか１項に記載の可撓性表示装置。
【請求項８】
前記表示手段は矩形であり、一つの辺の方向に沿ってのみ変形可能である請求項１〜７のいずれか１項に記載の可撓性表示装置。
【請求項９】
前記表示手段の表示位置は、前記表示手段の変形可能な辺の方向の位置である請求項８に記載の可撓性表示装置。
【請求項１０】
入力される画像信号に基づく画像を表示する変形可能な表示手段と、
前記表示手段に対する観察角度と観察される表示特性との関係である観察角度特性の情報を記憶する記憶手段と、
ユーザの観察位置を検出する位置検出手段と、
ユーザの観察位置と、前記観察角度特性とに基づき、ユーザの観察位置から観察される表示特性が目標範囲に入らない表示位置が前記表示手段にないように、前記表示手段を変形させる変形手段と、
を備える可撓性表示装置。
【請求項１１】
前記変形手段は、ユーザの観察位置と、前記観察角度特性とに基づき、前記表示手段の表示位置毎に、ユーザの観察位置から観察される表示特性が目標範囲に入るような変形量の許容範囲の情報を取得し、前記表示手段の表示位置毎の変形量が前記許容範囲に入るように、前記表示手段を変形させる請求項１０に記載の可撓性表示装置。
【請求項１２】
前記変形手段は、前記表示手段の表示位置毎に、前記許容範囲内で変形量が最小になるように前記表示手段を変形させる請求項１１に記載の可撓性表示装置。
【請求項１３】
前記変形手段は、前記表示手段の表示位置毎に、ユーザの観察位置から観察される表示特性が目標範囲内の所定の値となるように前記表示手段を変形させる請求項１１に記載の可撓性表示装置。
【請求項１４】
前記変形手段は、前記表示手段の中央を基準として対称の位置における変形量が等しくなるように前記表示手段を変形させる請求項１１に記載の可撓性表示装置。
【請求項１５】
入力される画像信号に対し画像処理を行う画像処理手段を更に備え、
前記画像処理手段は、前記観察角度特性が、前記表示手段に正対する観察角度を基準として対称ではない場合に、前記表示手段の中央を基準として対称の位置における変形量を等しくしたときに、ユーザの観察位置から観察される当該対称の位置の表示特性が等しくなるように、画像処理を行い、
前記変形手段は、前記表示手段の中央を基準として対称の位置における変形量が等しくなるように前記表示手段を変形させる請求項１１に記載の可撓性表示装置。
【請求項１６】
入力される画像信号に対し画像処理を行う画像処理手段を更に備え、
前記画像処理手段は、ユーザの観察位置から観察される画像における前記表示手段の変形による歪みを補正する画像処理を行う請求項１〜１５のいずれか１項に記載の可撓性表示装置。
【請求項１７】
前記表示特性は、コントラスト、輝度、色度の少なくとも１つを含む請求項１〜１６のいずれか１項に記載の可撓性表示装置。
【請求項１８】
入力される画像信号に基づく画像を表示する変形可能な表示手段を備える可撓性表示装置の制御方法であって、
前記表示手段に対する観察角度と観察される表示特性との関係である観察角度特性の情報を記憶手段から取得する工程と、
ユーザの観察位置を検出する位置検出工程と、
ユーザの観察位置と、前記観察角度特性とに基づき、ユーザの観察位置から観察される表示特性が目標範囲に入らない表示位置が前記表示手段にある場合、ユーザに通知する通知工程と、
を有する可撓性表示装置の制御方法。
【請求項１９】
前記表示手段の表示位置毎の変形量を検出する変形量検出工程を更に有し、
前記通知工程では、ユーザの観察位置と、前記観察角度特性とに基づき、前記表示手段の表示位置毎に、ユーザの観察位置から観察される表示特性が目標範囲に入るような変形量の許容範囲の情報を取得し、前記変形量検出工程により検出される変形量が前記許容範囲に入らない表示位置が前記表示手段にある場合に、ユーザに通知する請求項１８に記載の可撓性表示装置の制御方法。
【請求項２０】
前記通知工程では、前記変形量検出工程により検出された変形量が前記許容範囲に入ら
ない表示位置を示す画像を前記表示手段に表示させる請求項１９に記載の可撓性表示装置の制御方法。
【請求項２１】
前記通知工程では、前記変形量検出工程により検出された変形量が前記許容範囲に入らない表示位置において、入力される画像信号に基づく画像に所定の画像を重畳させて前記表示手段に表示させる請求項１９に記載の可撓性表示装置の制御方法。
【請求項２２】
前記通知工程では、前記変形量検出工程により検出された変形量が前記許容範囲に入らない表示位置についての情報を表示する画像を前記表示手段に表示させる請求項１９に記載の可撓性表示装置の制御方法。
【請求項２３】
前記表示手段は、ユーザが直接変形させることができる請求項１８〜２２のいずれか１項に記載の可撓性表示装置の制御方法。
【請求項２４】
前記可撓性表示装置は、前記表示手段を変形させる変形手段を更に備え、
前記可撓性表示装置の制御方法は、前記変形手段に対する動作の指示をユーザから受け付ける入力工程を更に有する、
請求項１８〜２２のいずれか１項に記載の可撓性表示装置の制御方法。
【請求項２５】
前記表示手段は矩形であり、一つの辺の方向に沿ってのみ変形可能である請求項１８〜２４のいずれか１項に記載の可撓性表示装置の制御方法。
【請求項２６】
前記表示手段の表示位置は、前記表示手段の変形可能な辺の方向の位置である請求項２５に記載の可撓性表示装置の制御方法。
【請求項２７】
入力される画像信号に基づく画像を表示する変形可能な表示手段と、
前記表示手段に対する観察角度と観察される表示特性との関係である観察角度特性の情報を記憶手段から取得する工程と、
ユーザの観察位置を検出する位置検出工程と、
ユーザの観察位置と、前記観察角度特性とに基づき、ユーザの観察位置から観察される表示特性が目標範囲に入らない表示位置が前記表示手段にないように、前記表示手段を変形させる変形工程と、
を備える可撓性表示装置の制御方法。
【請求項２８】
前記変形工程では、ユーザの観察位置と、前記観察角度特性とに基づき、前記表示手段の表示位置毎に、ユーザの観察位置から観察される表示特性が目標範囲に入るような変形量の許容範囲の情報を取得し、前記表示手段の表示位置毎の変形量が前記許容範囲に入るように、前記表示手段を変形させる請求項２７に記載の可撓性表示装置の制御方法。
【請求項２９】
前記変形工程では、前記表示手段の表示位置毎に、前記許容範囲内で変形量が最小になるように前記表示手段を変形させる請求項２８に記載の可撓性表示装置の制御方法。
【請求項３０】
前記変形工程では、前記表示手段の表示位置毎に、ユーザの観察位置から観察される表示特性が目標範囲内の所定の値となるように前記表示手段を変形させる請求項２８に記載の可撓性表示装置の制御方法。
【請求項３１】
前記変形工程では、前記表示手段の中央を基準として対称の位置における変形量が等しくなるように前記表示手段を変形させる請求項２８に記載の可撓性表示装置の制御方法。
【請求項３２】
入力される画像信号に対し画像処理を行う画像処理工程を更に有し、
前記画像処理工程では、前記観察角度特性が、前記表示手段に正対する観察角度を基準として対称ではない場合に、前記表示手段の中央を基準として対称の位置における変形量を等しくしたときに、ユーザの観察位置から観察される当該対称の位置の表示特性が等しくなるように、画像処理を行い、
前記変形工程では、前記表示手段の中央を基準として対称の位置における変形量が等しくなるように前記表示手段を変形させる請求項２８に記載の可撓性表示装置の制御方法。
【請求項３３】
入力される画像信号に対し画像処理を行う画像処理工程を更に備え、
前記画像処理工程では、ユーザの観察位置から観察される画像における前記表示手段の変形による歪みを補正する画像処理を行う請求項１８〜３２のいずれか１項に記載の可撓性表示装置の制御方法。
【請求項３４】
前記表示特性は、コントラスト、輝度、色度の少なくとも１つを含む請求項１８〜３３のいずれか１項に記載の可撓性表示装置の制御方法。
【発明の詳細な説明】
【技術分野】
【０００１】
本発明は、一部を変形させることが可能な可撓性表示装置及びその制御方法に関するものである。
【背景技術】
【０００２】
従来、ユーザが表示装置を観察している位置を検出し、検出した位置に応じて表示装置の向きを変える技術が開示されている（特許文献１）。特許文献１の装置は、ユーザの顔の位置を検出する検出手段と、表示装置の取り付け角度を調整する手段を有している。検出手段の検出結果に応じて、表示装置がユーザの顔の方向に向くように取り付け角度を調整することで、ユーザは自動的に最適の観察角度で表示装置を見ることができる。
【０００３】
また、近年、柔軟性を有し、折り曲げ可能な可撓性表示装置が開発されている。そして、そのような柔軟性を有する表示装置に、柔軟性を有するアクチュエータを備えて、アクチュエータを変形させることで、表示装置を変形させる技術が開示されている（特許文献２）。
【先行技術文献】
【特許文献】
【０００４】
【特許文献１】特開平５-１４８３８号公報
【特許文献２】特開２００３−２８０５４６号公報
【発明の概要】
【発明が解決しようとする課題】
【０００５】
液晶表示装置等の表示装置は、観察する角度により輝度や色度等の表示特性が異なって見える特性（以下、観察角度特性という）を有している。特に大型ディスプレイの場合、近距離で見ると画面の中央部と周辺部の観察角度が異なるため、画面内の部分により表示特性が異なって見えてしまう。上述した特許文献１では、ユーザの観察位置に表示装置を向けることにより、画面中央部をユーザに正対させることが可能である。しかし、ユーザが画面周辺部を見る場合、観察角度特性に起因して、表示特性が画面中央部と異なって見えてしまうという課題があった。
【０００６】
特許文献２では、表示装置を変形させる手段は開示しているが、ユーザの観察位置に応じた変形度合いで変形させる処理は行っておらず、観察角度特性によりユーザから見た画面内での表示特性の違いを解消することはできなかった。
【０００７】
そこで、本発明は、可撓性表示装置において画面の中央部と周辺部での観察角度特性による見え方の違いを軽減することを目的とする。
【課題を解決するための手段】
【０００８】
本発明は、入力される画像信号に基づく画像を表示する変形可能な表示手段と、
前記表示手段に対する観察角度と観察される表示特性との関係である観察角度特性の情報を記憶する記憶手段と、
ユーザの観察位置を検出する位置検出手段と、
ユーザの観察位置と、前記観察角度特性とに基づき、ユーザの観察位置から観察される表示特性が目標範囲に入らない表示位置が前記表示手段にある場合、ユーザに通知する通知手段と、
を備える可撓性表示装置である。
【０００９】
本発明は、入力される画像信号に基づく画像を表示する変形可能な表示手段と、
前記表示手段に対する観察角度と観察される表示特性との関係である観察角度特性の情報を記憶する記憶手段と、
ユーザの観察位置を検出する位置検出手段と、
ユーザの観察位置と、前記観察角度特性とに基づき、ユーザの観察位置から観察される表示特性が目標範囲に入らない表示位置が前記表示手段にないように、前記表示手段を変形させる変形手段と、
を備える可撓性表示装置である。
【００１０】
本発明は、入力される画像信号に基づく画像を表示する変形可能な表示手段を備える可撓性表示装置の制御方法であって、
前記表示手段に対する観察角度と観察される表示特性との関係である観察角度特性の情報を記憶手段から取得する工程と、
ユーザの観察位置を検出する位置検出工程と、
ユーザの観察位置と、前記観察角度特性とに基づき、ユーザの観察位置から観察される表示特性が目標範囲に入らない表示位置が前記表示手段にある場合、ユーザに通知する通知工程と、
を有する可撓性表示装置の制御方法である。
【００１１】
本発明は、入力される画像信号に基づく画像を表示する変形可能な表示手段と、
前記表示手段に対する観察角度と観察される表示特性との関係である観察角度特性の情報を記憶手段から取得する工程と、
ユーザの観察位置を検出する位置検出工程と、
ユーザの観察位置と、前記観察角度特性とに基づき、ユーザの観察位置から観察される表示特性が目標範囲に入らない表示位置が前記表示手段にないように、前記表示手段を変形させる変形工程と、
を備える可撓性表示装置の制御方法である。
【発明の効果】
【００１２】
本発明によれば、可撓性表示装置において画面の中央部と周辺部での観察角度特性による見え方の違いを軽減することができる。
【図面の簡単な説明】
【００１３】
【図１】実施例１に係る可撓性表示装置の構造を表した模式図
【図２】実施例１の可撓性表示装置１の構成を示すブロック図
【図３】記憶部４に記憶する観察角度特性データの例
【図４】表示部２上の位置と角度の変化方向を説明する図
【図５】図３の観察角度特性データをプロットしたグラフ
【図６】位置検出部３で検出するユーザの位置の例
【図７】実施例２に係る可撓性表示装置の構造を表した模式図
【図８】実施例２の可撓性表示装置１の構成を示すブロック図
【図９】実施例３に係る可撓性表示装置の構成を示すブロック図
【図１０】実施例３の表示部２のコントラストの観察角度特性を示した表
【図１１】図９の観察角度特性データからコントラストを計算しプロットしたグラフ
【図１２】実施例３の可撓性表示装置１を変形させた場合の模式図
【発明を実施するための形態】
【００１４】
（実施例１）
図１は、本発明の実施例１に係る可撓性表示装置の構造を模式的に表した図である。図
１において、可撓性表示装置１は、表示部２および位置検出部３から構成されている。位置検出部３は、表示部２の表示画面側に備えられており、表示部２の左右中央上側に配置されている。表示部２は、外部から入力された画像信号に基づく画像を表示する。また、表示部２は柔軟で変形可能な表示装置であり、外力を加えることでユーザが直接変形させることができる。柔軟で変形可能な表示装置としては、例えばフィルム液晶ディスプレイや有機ＥＬディスプレイ等の表示装置がある。
【００１５】
図１（Ａ）は可撓性表示装置１が平面状になっている状態、図１（Ｂ）は可撓性表示装置１を長辺方向に変形させた場合の例である。実施例１の可撓性表示装置１は、矩形であり、一方の辺の方向（ここでは長辺方向）にのみ変形可能であり、図示しない固定部材により、短辺方向には変形しないように固定されているものとする。固定部材としては、例えば、短辺方向に沿って金属板を設置する。
【００１６】
位置検出部３は、ユーザの位置を検出するためのセンサであり、赤外線を発する赤外線ＬＥＤと、赤外線を検出する赤外線センサからなる。赤外線ＬＥＤから放射された赤外線はユーザで反射する。位置検出部３は、反射光を赤外線センサで検出することで、可撓性表示装置１からユーザまでの距離を検出する。
【００１７】
実施例１の可撓性表示装置の詳細な動作について、以下で説明する。図２は、実施例１の可撓性表示装置１の構成を示すブロック図である。図２において、可撓性表示装置１は、表示部２の表示特性の観察角度特性データを記憶する記憶部４、計算部５、および表示部２の変形量を検出する変形量検出部６を有する。変形量は、表示部２が平面状になっている状態を基準とした表示部２の表示位置毎の変形量である。さらに、可撓性表示装置１は、入力された画像信号に基づく画像と、計算部５から出力される情報表示のための画像と、を合成した合成画像の画像信号を出力する合成部７を有している。位置検出部３は、ユーザの位置を検出し、位置検出結果を計算部５に出力する。
【００１８】
以下、実施例１および以降の実施例においては、説明を簡単にするため、ユーザが表示部２の中心を通る法線上の位置で観察している場合について述べる。位置検出部３は、位置検出結果として、表示部２の中心とユーザの距離ｄを出力する。位置検出部３は、まず位置検出部３からユーザまでの距離ｒを検出する。位置検出部３は表示部２の左右中央上部に配置され、表示部２は長辺方向にのみ変形する。そのため、前述した検出結果（位置検出部３からユーザまでの距離ｒ）は、表示部２の中心からユーザまでの距離ｄに換算可能であり、位置検出部３は、この換算値ｄを位置検出結果として出力する。表示部２の中心から位置検出部３までの距離をｌとすると、表示部２の中心からユーザの観察位置までの距離ｄは、以下の数式１により算出される。
ｄ＝（ｒ２−ｌ２）１／２・・・（数式１）
【００１９】
記憶部４は、表示部２の表示特性の観察角度特性データを記憶している。図３は、記憶部４に記憶される観察角度特性データの例である。記憶部４は、図３に示すように、表示部２の法線方向に対するユーザの観察角度φと、観察角度φに対応したコントラスト比と、の対応関係のデータを記憶する。図３の観察角度φの正負の符号は、図４に示すように、左回りがプラス方向、右回りがマイナス方向と定義する。観察角度φはユーザが表示部２に正対する観察角度を原点とする。
【００２０】
計算部５は、位置検出部３からの位置検出結果および記憶部４に記憶された観察角度特性データから、表示部２の各部の変形量の許容範囲を取得する。変形量の許容範囲とは、ユーザの観察位置から観察される表示部２のコントラスト比が所定値以上となるような変
形量の範囲であり、表示部２の各部について求められる。変形量の許容範囲は、例えば、観察されるコントラスト比が所定値以上となるような変形量の最大値と最小値で表す。表示部２の各部とは、例えば、表示部２の中央部と周辺部のように、観察角度特性により表示特性が互いに異なって見えることになるような部分のことである。所定値は、予め設定され、記憶部４に記憶されている。所定値は、例えば、観察される画質として許容できるコントラスト比の下限値が設定される。
【００２１】
変形量検出部６は、表示部２に隣接して配置されており、表示部２の各部が変形すると、その変形量を検出し、検出結果を計算部５に出力する。変形量は、表示部２が平面状になっている状態を基準とした各部の角度で表す。
【００２２】
図５は、図３の観察角度特性データをグラフに表したものである。この観察角度特性データで、コントラスト比７５０以上で観察したいとする（下限コントラスト値＝７５０）。図５から、コントラスト比７５０以上となる観察角度の範囲は、表示部２が平面状になっている状態を基準として、−５０〜＋５０度の範囲である。
【００２３】
このときの、表示部２の各部の変形量の許容範囲は、以下のようにして求める。まず、表示部２の長辺方向の位置ｐにおける、表示部２が平面の状態でのユーザの位置からの観察角度φを、表示部２の中心からユーザまでの距離ｄに基づいて下記の数式２により求める。
φ＝ａｔｎ（ｐ／ｄ）・・・（数式２）
ここで、ａｔｎは、アークタンジェントを表す。また、位置ｐは、図４で示すように、画面中央をｐ＝０とし、ユーザから見て右側がプラス方向、左側がマイナス方向と定義する。次に、コントラスト比７５０以上となる観察角度範囲の下限値及び上限値から数式２で求めた角度φを減算することで、位置ｐにおける表示部２の変形量の許容範囲を求めることができる。
【００２４】
例えば、距離ｄ＝６０ｃｍ、位置ｐ＝３４．６ｃｍのとき、角度φ＝３０度になり、位置ｐでの変形量の許容範囲は、−８０〜２０度となる。すなわち、表示部２が平面状の状態を基準とした位置ｐの角度が右回りで８０度、左回りで２０度となる範囲内の変形であれば、位置ｐの観察されるコントラスト比は下限コントラスト値以上となる。
【００２５】
変形量検出部６から出力された変形角度が、上記変形量の許容範囲に入っていない場合、計算部５は、ユーザにその旨を通知し注意を促す情報表示をするための画像信号を出力する。この画像信号は、合成部７にて、入力画像信号と合成され、表示部２へ出力される。注意を促す情報表示としては、変形量が許容範囲内にない部分に所定の色（例えば赤）の画像を重畳して表示したり、変形量が許容範囲内に入っていない旨のメッセージを表示したり、といった警告やエラーを示す表示を例示できる。ユーザに注意を促す画像の表示は、例えば一定時間表示したり、点滅表示したり、といった表示形態が考えられる。
【００２６】
警告が表示されると、ユーザは下限コントラスト比を下回っている表示領域があることを知ることができ、ユーザは警告が表示されないように可撓性表示装置を変形させることができる。
【００２７】
以上のように、実施例１では、表示部２で表示する画像をユーザの観察位置から観察した際に、所定のコントラスト比の範囲内に入らない表示領域がある場合、警告を表示する。これにより、ユーザは、画面全域において所定のコントラスト比で画像を観察できるように可撓性表示装置１を変形する操作を容易に行うことができる。従って、ユーザは可撓
性表示装置１を適切に変形させ、画面の中央部と周辺部での観察角度特性によるコントラスト比の見え方の違いを軽減することができる。
【００２８】
なお、実施例１では、可撓性表示装置１が長辺方向にのみ変形するようにしているが、短辺方向のみに変形するようにしても良いし、変形方向に制限を持たせないような構成でも良い。実施例１では、長辺方向の位置毎に観察される表示特性が目標範囲に入るような変形量の許容範囲を求めたが、長辺方向の位置ｐ及び短辺方向の位置ｑを考慮して、２次元で変形量が許容範囲内であるか判定するようにしても良い。また、記憶部４で記憶する観察角度特性データは、コントラスト比ではなく、例えば輝度や色度等、他の表示特性でも良いし、これらを組み合わせて記憶しても良い。また、表示部２、位置検出部３、変形量検出部６は、実施例１で例示した構成に限らず、同様の機能を有するものを用いることができる。
【００２９】
また、上記説明では、ユーザが表示部２の中心を通る法線上で観察している場合について述べたが、異なる位置で観察している場合にも本発明は適用できる。その場合も、ユーザの位置を検出して、ユーザの位置に基づいて、表示部２の位置ｐごとに、表示特性が所定の目標範囲内に入るような変形量の許容範囲を求めて、実際の変形量の検出結果との比較により、警告表示等を行うことができる。その際、位置検出部３は、図６に示すように、位置検出部３からユーザまでの距離ｒと仰角θ、方位角φを検出すれば良い。位置検出部３を表示部２の左右中央上側に配置する構成を例示したが、表示部２に対するユーザの位置（距離、角度）を検出できる位置であれば、他の場所に配置しても良い。
【００３０】
本実施例の可撓性表示装置によれば、ユーザから表示装置を観察した際に、観察される表示特性が目標を満たさない表示領域がある場合に、その位置を示す警告表示をする。そのため、ユーザは警告表示に基づいて、観察される表示特性が目標を満たすように表示装置を変形させる作業を容易に行うことができる。従って、画面の中央部と周辺部での表示特性の観察角度特性による見え方の違いを軽減することができる。なお、本実施例においては、ユーザが可撓性表示装置１を直接変形させる構成を説明した。しかし、表示部２を変形させるアクチュエータを備え、アクチュエータに対する動作の指示をユーザが入力する入力手段を備え、ユーザが入力手段によりアクチュエータに動作指示を与えることによって間接的に可撓性表示装置１を変形させる構成でも良い。アクチュエータの例は実施例２で説明する。この場合も、ユーザは、警告表示を見ながらアクチュエータの操作を行うことができ、効率的に、最適なコントラスト比で表示部２の各部を観察することができる形状に可撓性表示装置１を変形させることができる。
【００３１】
（実施例２）
図７は、本発明の実施例２に係る可撓性表示装置の構造を模式的に表した図である。図７において、可撓性表示装置１は、表示部２、位置検出部３の他に、表示部２を変形させるアクチュエータ８から構成されている。実施例２では、アクチュエータ８を動作させることにより表示部２を能動的に変形させる構成について説明する。アクチュエータ８としては、高分子ゲルや形状記憶合金等、電圧を印加することで変形する材料を用いることができる。
【００３２】
図８は、実施例２の可撓性表示装置１の構成を示すブロック図である。計算部５は、位置検出部３からの位置検出結果と、記憶部４からの観察角度特性データから、表示部２の長辺方向の位置ｐにおける角度φを求め、変形量の許容範囲を算出するまでは、実施例１と同等の動作を行う。次に、計算部５は、求めた変形量の許容範囲のうち、表示部２のコントラスト比が最も大きくなる角度を選択する。そして、計算部５は、選択した角度でアクチュエータが変形するように変形制御信号をアクチュエータ８へ出力する。
【００３３】
アクチュエータ８が計算部５から出力された変形制御信号に従って動作することで変形し、表示部２はアクチュエータ８に沿って変形する。これにより、ユーザの観察位置から最適なコントラストで画像の観察ができる。
【００３４】
なお、計算部５は、所定のコントラスト比以上になり、かつ表示部２各部の変形量が最小になるような角度を選択して変形制御信号を出力するようにしても良い。このようにすることで、変形により表示部２にかかるストレスを軽減することができる。また、表示部２を変形させる手段としては、上述した変形材料を用いたアクチュエータ以外の構成でもよく、例えば電圧等の制御信号により変形量を制御できるものを用いることができる。
【００３５】
（実施例３）
実施例３では、表示部２のコントラストの観察角度特性が、左右から観察したときに異なる可撓性表示装置への本発明の適用例を説明する。表示部２の観察角度特性が左右から観察したときに異なる場合、実施例２のように、ユーザの観察位置において観察されるコントラスト比が最大になるように表示部２を変形させると、左右の変形量が非対称になる。表示部２が左右非対称に変形すると、ユーザから表示部２までの距離が左右で異なることになるため、視線の移動を行った際に違和感を生じることがある。そのため、実施例３では、表示部２のコントラストの観察角度特性が左右から観察したときに異なる可撓性表示装置において、表示部２を左右対称に変形させ、かつ、観察角度による表示特性の見え方の違いを軽減できる方法を説明する。これにより、視線の移動を行った際に違和感が生じることを抑制できる。
【００３６】
図９は、本発明の実施例３に係る可撓性表示装置の構成を示すブロック図である。図９に示す実施例３の可撓性表示装置１は、図８に示す実施例２の構成と比較して、画像処理部９をさらに有している。画像処理部９は、入力画像信号に対して、オフセットを加えたりゲインを乗算したりといった画像処理を行う。
【００３７】
計算部５は、表示部２の中心に対して左右対称に変形するように、アクチュエータ８に対して変形制御信号を出力する。アクチュエータ８が変形制御信号に従い変形することで、表示部２も同様に左右対称に変形する。
【００３８】
図１０は、実施例３で使用する表示部２の表示特性の観察角度特性データを示す。図１０では、表示特性として最大階調の白表示の輝度と最小階調の黒表示の輝度の観察角度特性を示す。また、図１１は図１０の観察角度特性データからコントラストを計算し、グラフに表したものである。図１１に示すように、観察角度によるコントラストの変化が左右で異なっているため、表示部２を左右対称に変形すると、ユーザの観察位置から観察したときに、表示部２の位置＋ｐと位置−ｐでのコントラストが異なって観察されてしまう。
【００３９】
そのため、計算部５は、入力画像に対して画像処理を行うことで、表示部２を左右対称に変形した場合でも、ユーザの位置から観察したときに、表示部２の位置＋ｐと位置−ｐでのコントラストが同等に見えるようにする。計算部５は、そのような画像処理を行うための画像制御信号を画像処理部９に出力する。計算部５は、コントラストを制御する場合、画像制御信号として、ゲイン値およびオフセット値を出力する。画像処理部９は、計算部５から入力されるゲイン値およびオフセット値を用いて、数式３の計算を行って、入力画像信号に画像処理を行う。
Ｏｕｔ＝Ｖｉｎ×Ｇａｉｎ＋Ｏｆｆｓｅｔ・・・（数式３）
ここで、Ｖｉｎは入力画像信号、Ｇａｉｎはゲイン値、Ｏｆｆｓｅｔはオフセット値、Ｏｕｔは計算の結果出力される画像信号である。
【００４０】
白を表示したときの輝度を維持しながらコントラストが左右で等しくなるように画像処理を行う場合、ＧａｉｎおよびＯｆｆｓｅｔは以下のように設定する。まず、右から観察したときの最大階調の白表示の輝度をＬｗｒ、最小階調の黒表示の輝度をＬｋｒとすると、コントラストＣｒは数式４のように計算される。
Ｃｒ＝Ｌｗｒ／Ｌｋｒ・・・（数式４）
同様に、左から観察したときの最大階調の白表示の輝度をＬｗｌ、最小階調の黒表示の輝度をＬｋｌとすると、コントラストＣｌは数式５のように表される。
Ｃｌ＝Ｌｗｌ／Ｌｋｌ・・・（数式５）
【００４１】
右から観察したときと左から観察したときで同じコントラストにするためには、黒表示の輝度はＬｋｒとＬｋｌのうち大きい方を目標輝度Ｌｋｔｒｇ、白表示の輝度はＬｗｒとＬｗｌのうち小さい方を目標輝度Ｌｗｔｒｇとして、入力信号を補正すれば良い。
【００４２】
入力画像信号において、黒表示の目標輝度Ｌｋｔｒｇを表示するための画像信号をＶｋ、白表示の目標輝度Ｌｗｔｒｇを表示するための画像信号をＶｗとする。入力画像信号の入力範囲が０〜１の場合、ゲイン値、オフセット値は数式６、数式７のように求められる。
Ｇａｉｎ＝（Ｖｗ−Ｖｋ）・・・（数式６）
Ｏｆｆｓｅｔ＝Ｖｋ・・・（数式７）
【００４３】
上記数式６および数式７のゲイン値、オフセット値を、右から観察したときと左から観察したときでそれぞれ計算し、数式３に適用する。すなわち、位置ｐの画像に対応する入力画像信号と、位置−ｐの画像に対応する入力画像信号と、に対し、上記のようにして求めたそれぞれ異なるＧａｉｎ，Ｏｆｆｓｅｔで画像処理を行う。このようして画像制御信号に基づき画像処理をおこなうことで、これにより、位置ｐと位置−ｐにおける観察角度特性が等しくない場合でも、位置ｐと位置−ｐの変形量が等しいときに、両位置において観察されるコントラスト比が等しくなる。すなわち、表示部２の観察角度特性が左右で異なる場合であっても、左右のコントラストを同等にするための表示部２の変形を左右対称にすることができる。
【００４４】
なお、実施例３では、位置＋ｐと位置−ｐでのコントラストが同等に見えるように画像処理を施すようにしているが、表示部２の全画面でコントラストが同等に見えるように画像処理を行っても良い。その場合、目標とする黒表示の輝度と白表示の輝度を全画面で同一にし、当該目標輝度を用いて数式３〜数式７の計算を全画面で行えば良い。また、実施例３では左右非対称の観察角度特性を有する表示特性としてコントラストを例示したが、白表示の輝度や白表示の色度を左右から観察した時に同等にするような画像処理を行っても良い。
【００４５】
実施例１〜３では可撓性表示装置では、表示部２を変形させるため、ユーザから観察した際に画像に歪みが観察される場合がある。このような場合、画像処理部９にて、画像信号に対し、画像に幾何学的変形を行うような画像処理を施し、ユーザから見たときの歪みを補正するようにしても良い。
【００４６】
例えば、図１２は、可撓性表示装置１を変形させた場合の模式図であり、図１２（Ａ）に示すように可撓性表示装置１が変形しているとする。図中の破線はユーザの観察位置から等距離の位置を示している。図示するように、画面中央部に対し、画面周辺部は、ユーザからの距離が大きくなっている。
【００４７】
ユーザからの距離が画面中央部と周辺部で等しい場合は、可撓性表示装置１に表示される画像の見え方は、図１２（Ｂ）の点線のように長方形となる。しかし、図１２（Ａ）のようにユーザからの距離が画面中央部と周辺部で等しくない場合、可撓性表示装置１に表示される画像の見え方は、図１２（Ｂ）の実線のように変形して見える。
【００４８】
このような場合には、画像に対し幾何学的変形を行う画像処理を施すことで、ユーザから見た画像の歪みを補正することができる。図１２（Ｃ）に幾何学的変形の例を示す。図１２（Ｃ）の鎖線は、入力画像信号に幾何学的変形の画像処理を加えた場合の変形後の画像の外郭を示している。図１２（Ｃ）はユーザからの画像の見え方を示す図ではなく、表示部２に表示された画像を示す図である。
【００４９】
このように、ユーザから見たときの可撓性表示装置１の表示画像の歪みを補償するような変形を行う画像処理を入力画像信号に施す。その際に、表示される画像をユーザから見た場合に、元の画像と縦横比が変わらないように変形させることが望ましい。図１２（Ｄ）は、図１２（Ｃ）に示す幾何学的変形を施した画像のユーザからの見え方を表した図である。図１２（Ｄ）の鎖線が、幾何学的変形を施す画像処理を行った画像のユーザからの見え方を示す。このように、入力画像信号に対し、画像を幾何学的に変形させる画像処理を施すことで、可撓性表示装置１が変形した場合のユーザから見た画像の歪みを補正することができる。
【符号の説明】
【００５０】
１  可撓性表示装置、２  表示部、３  位置検出部、４  記憶部、５  計算部、６  変形量検出部、７  合成部、８  アクチュエータ
【図１】
2014191182.tif 000003
【図２】
2014191182.tif 000004
【図３】
2014191182.tif 000005
【図４】
2014191182.tif 000006
【図５】
2014191182.tif 000007
【図６】
2014191182.tif 000008
【図７】
2014191182.tif 000009
【図８】
2014191182.tif 000010
【図９】
2014191182.tif 000011
【図１０】
2014191182.tif 000012
【図１１】
2014191182.tif 000013
【図１２】
2014191182.tif 000014